(57)【要約】【課題】ユニバーサルシリアルバス及びｅＳＡＴＡの標準規格に準拠した複合コネクタプラグを提供する。【解決手段】複合コネクタプラグは、第１の端子群、第２の端子群、第１の固定装置５００、第３の端子群、第２の固定装置５３０、ハウジング６００及び結合端固定装置５６０を備える。第１の端子群は、複数の第１の端子４００を有し、第１の端子４００のそれぞれは、第１の接点端４０２と、第１の結合端４０６と、第１の接点端４０２と第１の結合端４０６との間に設けられた第１の接続部４０４とを有する。第２の端子群は、複数の第２の端子４３０を有し、第２の端子４３０のそれぞれは、第２の接点端４３２と、第２の結合端４３６と、第２の接点端４３２と第２の結合端４３６との間に設けられた第２の接続部４３４とを有する。【選択図】図４
0003162616.tif 000002
【実用新案登録請求の範囲】
【請求項１】
第１の端子群、第２の端子群、第１の固定装置、第３の端子群、第２の固定装置、ハウジング及び結合端固定装置を備える複合コネクタプラグであって、
前記第１の端子群は、複数の第１の端子を有し、前記第１の端子のそれぞれは、第１の外部コネクタソケットの対応する端子と電気的に接続される底部を有するＶ字形状である第１の接点端と、電気信号伝送装置と接続される第１の結合端と、前記第１の接点端と前記第１の結合端との間に設けられた第１の接続部と、を有し、
前記第２の端子群は、複数の第２の端子を有し、前記第２の端子のそれぞれは、第２の外部コネクタソケットの対応する端子と電気的に接続される第２の接点端と、電気信号伝送装置と接続される第２の結合端と、前記第２の接点端と前記第２の結合端との間に設けられた第２の接続部と、を有し、
前記第１の固定装置は、前記第１の接続部が接続され、前記第１の端子を固定する複数の第１の溝部と、前記第１の溝部の下方に設けられ、前記第２の接続部が接続され、前記第２の端子を固定する複数の第２の溝部と、を有し、
前記第３の端子群は、複数の第３の端子を有し、前記第３の端子のそれぞれは、第３の外部コネクタソケットの対応する端子と電気的に接続される第３の接点端と、電気信号伝送装置と接続される第３の結合端と、前記第３の接点端と前記第３の結合端との間に設けられた第３の接続部と、を有し、
前記第２の固定装置は、前記第３の接続部が接続され、前記第３の端子を固定する複数の第３の溝部を有し、
前記ハウジングは、前記第１の固定装置、前記第２の固定装置、及び前記結合端固定装置のそれぞれを固定し、前記第１の端子、前記第２の端子、及び前記第３の端子のそれぞれを保護し、当該複合コネクタプラグの形状を画定し、
前記結合端固定装置は、前記第１の結合端、前記第２の結合端、及び前記第３の結合端のそれぞれを固定し、
前記第１の固定装置は、前記第２の固定装置上に結合されることを特徴とする複合コネクタプラグ。
【請求項２】
第１の端子群、第２の端子群、第１の固定装置、第３の端子群、第２の固定装置、ハウジング及び結合端固定装置を備える複合コネクタプラグであって、
前記第１の端子群は、複数の第１の端子を有し、前記第１の端子のそれぞれは、第１の外部コネクタソケットの対応する端子と電気的に接続される鈍角部分を有するフック式三角形状の第１の接点端と、電気信号伝送装置と接続される第１の結合端と、前記第１の接点端と前記第１の結合端との間に設けられた第１の接続部と、を有し、
前記第２の端子群は、複数の第２の端子を有し、前記第２の端子のそれぞれは、第２の外部コネクタソケットの対応する端子と電気的に接続される第２の接点端と、電気信号伝送装置と接続するために用いられる第２の結合端と、前記第２の接点端と前記第２の結合端との間に設けられた第２の接続部と、を有し、
前記第１の固定装置は、前記第１の接続部が接続され、前記第１の端子を固定する複数の第１の溝部と、前記第１の溝部の末端に設けられ、前記第１の接点端の接合方向を位置合わせする板部と、前記第１の溝部の下方に設けられ、前記第２の接続部が接続され、前記第２の端子を固定する複数の第２の溝部と、を有し、
前記第３の端子群は、複数の第３の端子を有し、前記第３の端子のそれぞれは、第３の外部コネクタソケットの対応する端子と電気的に接続される第３の接点端と、電気信号伝送装置と接続される第３の結合端と、前記第３の接点端と前記第３の結合端との間に設けられた第３の接続部と、を有し、
前記第２の固定装置は、前記第３の接続部が接続され、前記第３の端子を固定する複数の第３の溝部を有し、
前記ハウジングは、前記第１の固定装置、前記第２の固定装置、及び前記結合端固定装置のそれぞれを固定し、前記第１の端子、前記第２の端子、及び前記第３の端子のそれぞれを保護し、当該複合コネクタプラグの形状を画定し、
前記結合端固定装置は、前記第１の結合端、前記第２の結合端、及び前記第３の結合端のそれぞれを固定し、
前記第１の固定装置は、前記第２の固定装置上に結合されることを特徴とする複合コネクタプラグ。
【請求項３】
前記第１の端子群は、ｅＳＡＴＡの標準規格に準拠することを特徴とする請求項１又は２に記載の複合コネクタプラグ。
【請求項４】
前記第３の端子群は、ＵＳＢ２．０の標準規格に準拠することを特徴とする請求項１又は２に記載の複合コネクタプラグ。
【請求項５】
前記第２の端子群と前記第３の端子群との組合せは、ＵＳＢ３．０の標準規格に準拠することを特徴とする請求項１又は２に記載の複合コネクタプラグ。
【請求項６】
前記第２の端子群は、前記第２の端子を５つ有し、
前記第３の端子群は、前記第３の端子を４つ有することを特徴とする請求項１又は２に記載の複合コネクタプラグ。
【請求項７】
前記電気信号伝送装置は、回路基板又は電線であることを特徴とする請求項１又は２に記載の複合コネクタプラグ。
【考案の詳細な説明】
【技術分野】
【０００１】
本考案は、複合コネクタプラグに関するものであり、さらに詳しくは、ユニバーサルシリアルバス（例えば、ＵＳＢ２．０、ＵＳＢ３．０など）及びｅＳＡＴＡの標準規格に準拠した複合コネクタプラグに関する。
【背景技術】
【０００２】
近年、コンピュータ装置の急速な発展に伴い、高速かつ効果的なデータ通信の開発が求められてきている。しかし、従来の通信標準規格を新世代へ交代させるためには、技術の発展だけが関係するのでなく、従来の標準規格の製品を使用し続けることを希望するユーザのニーズに応えることも重要である。
【０００３】
しかし、電子製品は軽量で薄型の機能が求められているため、各製品は、内部を簡素化して各部品の占有空間を縮小し、外側に設けられたソケット又はプラグのそれぞれを一つにまとめたり改良したりし、装置が有する限定的な外部空間に、必要なソケット及びプラグを設ける必要があるため、従来のコネクタプラグはユーザが求める機能を提供することができなかった。そのため、多くの周辺装置又は電子製品がそれぞれ異なるプラグを使用する際、互換性に問題が発生する虞があった。多数の通信標準規格のコネクタプラグのニーズを満足させることができる場合、アダプタを別に購入せずに、異なる通信標準規格のソケットを使用することができ、コネクタプラグの製品を使用する際、使用空間を低減させることができる。
【０００４】
ｅＳＡＴＡ（Ｅｘｔｅｒｎａｌ  Ｓｅｒｉａｌ  Ａｄｖａｎｃｅｄ  Ｔｅｃｈｎｏｌｏｇｙ  Ａｔｔａｃｈｍｅｎｔ）及びＵＳＢ（Ｕｎｉｖｅｒｓａｌ  Ｓｅｒｉａｌ  Ｂｕｓ）の２種類は、コネクタの標準規格としてよく用いられる。ｅＳＡＴＡ及びＵＳＢのコネクタはサイズが類似しているため、共用できる複合コネクタプラグに設計されているものもある。例えば、特許文献１で開示されている複合コネクタプラグは、スロットを有するハウジングを含む。このスロット内には、ｅＳＡＴＡの標準規格に準拠し、配列された複数のｅＳＡＴＡ端子の第１の端子群と、ＵＳＢ３．０の標準規格に準拠した複数のＵＳＢを有する第２の端子群とが含まれる。
【０００５】
図１は、従来の複合コネクタプラグ（特許文献１の複合コネクタプラグ）を示す斜視図である。この特許文献１に記載の複合コネクタプラグでは、当該複合コネクタプラグを大量生産する際、インサート成形の方式によりＵＳＢ３．０の端子へ挿入すると、ｅＳＡＴＡ端子のフック先端部（ｈｏｏｋ  ｔｉｐ）１がＵＳＢ３．０のプラスチック注入口２に係合され、欠陥商品が生産されたり、生産効率が低下する虞がある。
【先行技術文献】
【特許文献】
【０００６】
【特許文献１】台湾実用新案登録第３６９５７０号公報
【考案の概要】
【考案が解決しようとする課題】
【０００７】
本考案の主な目的は、従来技術の問題点を解決することができるユニバーサルシリアルバス（例えば、ＵＳＢ２．０、ＵＳＢ３．０など）及びｅＳＡＴＡの標準規格に準拠した複合コネクタプラグを提供することにある。
【課題を解決するための手段】
【０００８】
上記課題を解決するために、本考案の第１の形態によれば、第１の端子群、第２の端子群、第１の固定装置、第３の端子群、第２の固定装置、ハウジング及び結合端固定装置を備える複合コネクタプラグであって、前記第１の端子群は、複数の第１の端子を有し、前記第１の端子のそれぞれは、第１の外部コネクタソケットの対応する端子と電気的に接続される底部を有するＶ字形状である第１の接点端と、電気信号伝送装置と接続される第１の結合端と、前記第１の接点端と前記第１の結合端との間に設けられた第１の接続部と、を有し、前記第２の端子群は、複数の第２の端子を有し、前記第２の端子のそれぞれは、第２の外部コネクタソケットの対応する端子と電気的に接続される第２の接点端と、電気信号伝送装置と接続される第２の結合端と、前記第２の接点端と前記第２の結合端との間に設けられた第２の接続部と、を有し、前記第１の固定装置は、前記第１の接続部が接続され、前記第１の端子を固定する複数の第１の溝部と、前記第１の溝部の下方に設けられ、前記第２の接続部が接続され、前記第２の端子を固定する複数の第２の溝部と、を有し、前記第３の端子群は、複数の第３の端子を有し、前記第３の端子のそれぞれは、第３の外部コネクタソケットの対応する端子と電気的に接続される第３の接点端と、電気信号伝送装置と接続される第３の結合端と、前記第３の接点端と前記第３の結合端との間に設けられた第３の接続部と、を有し、前記第２の固定装置は、前記第３の接続部が接続され、前記第３の端子を固定する複数の第３の溝部を有し、前記ハウジングは、前記第１の固定装置、前記第２の固定装置、及び前記結合端固定装置のそれぞれを固定し、前記第１の端子、前記第２の端子、及び前記第３の端子のそれぞれを保護し、当該複合コネクタプラグの形状を画定し、前記結合端固定装置は、前記第１の結合端、前記第２の結合端、及び前記第３の結合端のそれぞれを固定し、前記第１の固定装置は、前記第２の固定装置上に結合されることを特徴とする複合コネクタプラグが提供される。
【０００９】
上記課題を解決するために、本考案の第２の形態によれば、第１の端子群、第２の端子群、第１の固定装置、第３の端子群、第２の固定装置、ハウジング及び結合端固定装置を備える複合コネクタプラグであって、前記第１の端子群は、複数の第１の端子を有し、前記第１の端子のそれぞれは、第１の外部コネクタソケットの対応する端子と電気的に接続される鈍角部分を有するフック式三角形状の第１の接点端と、電気信号伝送装置と接続される第１の結合端と、前記第１の接点端と前記第１の結合端との間に設けられた第１の接続部と、を有し、前記第２の端子群は、複数の第２の端子を有し、前記第２の端子のそれぞれは、第２の外部コネクタソケットの対応する端子と電気的に接続される第２の接点端と、電気信号伝送装置と接続するために用いられる第２の結合端と、前記第２の接点端と前記第２の結合端との間に設けられた第２の接続部と、を有し、前記第１の固定装置は、前記第１の接続部が接続され、前記第１の端子を固定する複数の第１の溝部と、前記第１の溝部の末端に設けられ、前記第１の接点端の接合方向を位置合わせする板部と、前記第１の溝部の下方に設けられ、前記第２の接続部が接続され、前記第２の端子を固定する複数の第２の溝部と、を有し、前記第３の端子群は、複数の第３の端子を有し、前記第３の端子のそれぞれは、第３の外部コネクタソケットの対応する端子と電気的に接続される第３の接点端と、電気信号伝送装置と接続される第３の結合端と、前記第３の接点端と前記第３の結合端との間に設けられた第３の接続部と、を有し、前記第２の固定装置は、前記第３の接続部が接続され、前記第３の端子を固定する複数の第３の溝部を有し、前記ハウジングは、前記第１の固定装置、前記第２の固定装置、及び前記結合端固定装置のそれぞれを固定し、前記第１の端子、前記第２の端子、及び前記第３の端子のそれぞれを保護し、当該複合コネクタプラグの形状を画定し、前記結合端固定装置は、前記第１の結合端、前記第２の結合端、及び前記第３の結合端のそれぞれを固定し、前記第１の固定装置は、前記第２の固定装置上に結合されることを特徴とする複合コネクタプラグが提供される。
【００１０】
前記第１の端子群は、ｅＳＡＴＡの標準規格に準拠することが好ましい。
【００１１】
前記第３の端子群は、ＵＳＢ２．０の標準規格に準拠することが好ましい。
【００１２】
前記第２の端子群と前記第３の端子群との組合せは、ＵＳＢ３．０の標準規格に準拠することが好ましい。
【００１３】
前記第２の端子群は、前記第２の端子を５つ有し、前記第３の端子群は、前記第３の端子を４つ有することが好ましい。
【００１４】
前記電気信号伝送装置は、回路基板又は電線であることが好ましい。
【考案の効果】
【００１５】
本考案の複合コネクタプラグは、ユニバーサルシリアルバス（例えば、ＵＳＢ２．０、ＵＳＢ３．０など）及びｅＳＡＴＡの標準規格に準拠した構造及び端子固定方式により、従来技術の問題点を解決することができる。
【図面の簡単な説明】
【００１６】
【図１】従来の複合コネクタプラグを示す斜視図である。
【図２】本考案の第１実施形態による複合コネクタプラグを示す分解斜視図である。
【図３】本考案の第１実施形態による複合コネクタプラグを示す斜視図である。
【図４】本考案の第２実施形態による複合コネクタプラグを示す分解斜視図である。
【図５】本考案の第２実施形態による複合コネクタプラグを示す斜視図である。
【考案を実施するための形態】
【００１７】
以下、本考案の実施形態について図に基づいて説明する。なお、これによって本考案が限定されるものではない。
【００１８】
（第１実施形態）
図２及び図３を参照する。図２及び図３に示すように、本考案の第１実施形態による複合コネクタプラグのコネクタプラグ１０は、７つの第１の端子１００、５つの第２の端子１３０、４つの第３の端子１６０、第１の固定装置２００、第２の固定装置２３０、結合端固定装置２６０及びハウジング３００を含む。第１の端子１００の組合せにより第１の端子群を形成し、第２の端子１３０の組合せにより第２の端子群を形成し、第３の端子１６０の組合せにより第３の端子群を形成する。
【００１９】
第１の端子１００は、第１の外部コネクタソケット（図示せず）の対応する端子と電気的に接続される底部を有するＶ字形状である第１の接点端１０２と、電線と接続するために用いる第１の結合端１０６と、第１の接点端１０２と第１の結合端１０６との間に設けられ、適宜な形状により第１の端子１００を固定するために用いる第１の接続部１０４と、を含む。第２の端子１３０は、第２の外部コネクタソケット（図示せず）の対応する端子と電気的に接続される第２の接点端１３２と、電線と接続するために用いる第２の結合端１３６と、第２の接点端１３２と第２の結合端１３６との間に設けられ、適宜な形状により第２の端子１３０を固定するために用いる第２の接続部１３４と、を含む。第３の端子１６０は、第３の外部コネクタソケット（図示せず）の対応する端子と電気的に接続される第３の接点端１６２と、電線と接続するために用いる第３の結合端１６６と、第３の接点端１６２と第３の結合端１６６との間に設けられ、適宜な形状により第３の端子１６０を固定するために用いる第３の接続部１６４と、を含む。
【００２０】
本考案の第１実施形態による複合コネクタプラグの第１の固定装置２００は、上端が水平に延伸された複数の固定構造を有し、第１の接続部１０４を含む第１の端子１００を固定するために用いる７つの第１の溝部２０２と、第１の溝部２０２の下方に設けられ、上端が水平に延伸された複数の固定構造を有し、第２の接続部１３４を含む第２の端子１３０を固定するために用いる５つの第２の溝部２０４と、ハウジング３００を結合する際に、位置決めを行うために用いる２つの位置決めフック２０６と、を含む。
【００２１】
第２の固定装置２３０は、上端が水平に延伸された固定構造を有し、第３の接続部１６４を含む第３の端子１６０を固定するために用いる４つの第３の溝部２３２を含む。
【００２２】
第１の固定装置２００には、第２の固定装置２３０が結合され、各端子の相対位置が固定される。ハウジング３００は、第１の固定装置２００上の位置決めフック２０６との係合に用いる２つの位置決めフック３０２を有する。
【００２３】
結合端固定装置２６０は、結合端のそれぞれを固定するために用いる複数の案内溝２６４と、ハウジング３００上の２つの係合溝３０６と結合し、ハウジング３００を固定するために用いる２つの爪部２６２と、を含む。結合端固定装置２６０とハウジング３００とを結合した後の形状は、図３に示す。第１の接点端１０２は、第１の溝部２０２に固定され、第１の外部コネクタソケット（図示せず）の対応した端子と電気的に接続された底部を有するＶ字形状に形成されているため、図１に示す特許文献１の複合コネクタプラグのように、不用意にフック先端部（ｈｏｏｋ  ｔｉｐ）１がＵＳＢ３．０のプラスチック注入口２に係合され、欠陥商品が生産されたり、生産効率が低下したりする虞がない。
【００２４】
さらに、ハウジング３００は、回路基板上にコネクタプラグ１０を固定するために用いる２つの結合部３０４を含む。ハウジング３００は、各固定装置を固定し、各端子を保護し、プラグの形状を画定するために用いる。
【００２５】
本考案の第１実施形態では、第１の外部コネクタソケット（図示せず）は、ｅＳＡＴＡコネクタソケットであり、第２の外部コネクタソケット（図示せず）は、ＵＳＢ３．０コネクタソケットであり、第３の外部コネクタソケット（図示せず）は、ＵＳＢ２．０コネクタソケットである。第１の端子群は、ｅＳＡＴＡの標準規格に準拠し、第３の端子群は、ＵＳＢ２．０の標準規格に準拠し、第２の端子群及び第３の端子群は、ＵＳＢ３．０の標準規格に準拠する。第２の端子群は、第２の端子１３０を５つ有し、第３の端子群は、第３の端子１６０を４つ有する。
【００２６】
（第２実施形態）
図４及び図５を参照する。図４及び図５に示すように、本考案の第２実施形態による複合コネクタプラグのコネクタプラグ４０は、７つの第１の端子４００、５つの第２の端子４３０、４つの第３の端子４６０、第１の固定装置５００、第２の固定装置５３０、結合端固定装置５６０及びハウジング６００を含む。第１の端子４００の組合せにより第１の端子群を形成し、第２の端子４３０の組合せにより第２の端子群を形成し、第３の端子４６０の組合せにより第３の端子群を形成する。
【００２７】
第１の端子４００は、第１の外部コネクタソケット（図示せず）の対応した端子と電気的に接続される鈍角部分を有するフック式三角形状の第１の接点端４０２と、電線との接続に用いる第１の結合端４０６と、第１の接点端４０２と第１の結合端４０６との間に設けられ、適宜な形状により第１の端子４００を固定するために用いる第１の接続部４０４と、を含む。第２の端子４３０は、第２の外部コネクタソケット（図示せず）の対応する端子と電気的に接続される第２の接点端４３２と、電線と接続するために用いる第２の結合端４３６と、第２の接点端４３２と第２の結合端４３６との間に設けられ、適宜な形状により第２の端子４３０を固定するために用いる第２の接続部４３４と、を含む。第３の端子４６０は、第３の外部コネクタソケット（図示せず）の対応する端子と電気的に接続される第３の接点端４６２と、電線と接続するために用いる第３の結合端４６６と、第３の接点端４６２と第３の結合端４６６との間に設けられ、適宜な形状により第３の端子４６０を固定するために用いる第３の接続部４６４と、を含む。
【００２８】
本考案の第２実施形態による第１の固定装置５００は、上端が水平に延伸された複数の固定構造を有し、第１の接続部４０４を含む第１の端子４００を固定するために用いる７つの第１の溝部５０２と、第１の溝部５０２の下方に設けられ、上端が水平に延伸された複数の固定構造を有し、第２の接続部４３４を含む第２の端子４３０を固定するために用いる５つの第２の溝部５０４と、ハウジング６００を結合する際に、位置決めを行うために用いる２つの位置決めフック５０６と、第１の溝部５０２の末端に位置し、ＵＳＢ３．０のプラスチック注入口に係合しないように、板部５０８の挿入孔（図示せず）の中までフック式第１の接点端４０２を延伸し、第１の接点端４０２の接合方向を位置合わせする板部５０８と、を含む。さらに、第１の固定装置５００の第１の溝部５０２は、板部５０８により開端状から閉端状に形成される。板部５０８と第１の接点端４０２とを接合したときの状態は、図５に示す。
【００２９】
第２の固定装置５３０は、上端が水平に延伸された固定構造を有し、第３の接続部４６４を結合し、第３の端子４６０を固定するために用いる４つの第３の溝部５３２を含む。
【００３０】
第１の固定装置５００は、各端子の相対位置を固定するために、第２の固定装置５３０を結合する。即ち、まず、上述の第１の固定装置５００と第２の固定装置５３０とを組み合わせてからハウジング６００を結合し、その後、結合端固定装置５６０を接続させる。ハウジング６００は、第１の固定装置５００上の位置決めフック５０６との係合に用いる２つの位置決めフック６０２を有する。
【００３１】
結合端固定装置５６０は、各結合端を固定するために用いる複数の案内溝５６４と、ハウジング６００上の２つの係合溝６０６と結合し、ハウジング６００を固定するために用いる２つの爪部５６２と、を含む。ハウジング６００は、回路基板上にコネクタプラグ４０を固定するために用いる２つの結合部６０４を含む。ハウジング６００は、各固定装置を固定し、各端子を保護し、プラグの形状を画定するために用いる。
【００３２】
第２実施形態において、第１の外部コネクタソケット（図示せず）は、ｅＳＡＴＡコネクタソケットであり、第２の外部コネクタソケット（図示せず）は、ＵＳＢ３．０コネクタソケットであり、第３の外部コネクタソケット（図示せず）は、ＵＳＢ２．０コネクタソケットである。第１の端子群は、ｅＳＡＴＡの標準規格に準拠し、第３の端子群は、ＵＳＢ２．０の標準規格に準拠し、第２の端子群及び第３の端子群は、ＵＳＢ３．０の標準規格に準拠する。第２の端子群は、第２の端子４３０を５つ有し、第３の端子群は、第３の端子４６０を４つ有する。
【００３３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１０  コネクタプラグ
４０  コネクタプラグ
１００  第１の端子
１０２  第１の接点端
１０４  第１の接続部
１０６  第１の結合端
１３０  第２の端子
１３２  第２の接点端
１３４  第２の接続部
１３６  第２の結合端
１６０  第３の端子
１６２  第３の接点端
１６４  第３の接続部
１６６  第３の結合端
２００  第１の固定装置
２０２  第１の溝部
２０４  第２の溝部
２０６  位置決めフック
２３０  第２の固定装置
２３２  第３の溝部
２６０  結合端固定装置
２６２  爪部
２６４  案内溝
３００  ハウジング
３０２  位置決めフック
３０４  結合部
３０６  係合溝
４００  第１の端子
４０２  第１の接点端
４０４  第１の接続部
４０６  第１の結合端
４３０  第２の端子
４３２  第２の接点端
４３４  第２の接続部
４３６  第２の結合端
４６０  第３の端子
４６２  第３の接点端
４６４  第３の接続部
４６６  第３の結合端
５００  第１の固定装置
５０２  第１の溝部
５０４  第２の溝部
５０６  位置決めフック
５０８  板部
５３０  第２の固定装置
５３２  第３の溝部
５６０  結合端固定装置
５６２  爪部
５６４  案内溝
６００  ハウジング
６０２  位置決めフック
６０４  結合部
６０６  係合溝
【図１】
0003162616.tif 000003
【図２】
0003162616.tif 000004
【図３】
0003162616.tif 000005
【図４】
0003162616.tif 000006
【図５】
0003162616.tif 000007